【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信する方法であって、
物理レイヤヘッダを備える圧縮ブロック確認応答フレームを生成することと、前記物理レイヤヘッダは変調コーディングスキームフィールドを含み、前記圧縮ブロック確認応答フレームを示す値を有する前記変調コーディングスキームフィールドは圧縮ブロック確認応答フレームタイプであり、前記物理レイヤヘッダは、ブロック確認応答識別子と、前記圧縮ブロック確認応答フレームの開始シーケンス番号と、ビットマップとのうちの少なくとも１つを含み、
前記圧縮ブロック確認応答フレームを送信することと、
を備える、方法。
【請求項２】
前記ブロック確認応答識別子と、前記圧縮ブロック確認応答フレームの前記開始シーケンス番号と、前記ビットマップとのうちの少なくとも１つは、前記物理レイヤヘッダの信号フィールドに記憶される、請求項１に記載の方法。
【請求項３】
前記ブロック確認応答識別子は、前記圧縮ブロック確認応答が送られているブロックの第１のパケットから導出されるシーケンス番号を含む、請求項１に記載の方法。
【請求項４】
前記ブロック確認応答識別子は、ブロック確認応答要求フレームから導出されるシーケンス番号を含む、請求項１に記載の方法。
【請求項５】
前記圧縮ブロック確認応答フレームの前記開始シーケンス番号は、開始シーケンス番号の最下位ビットのグループに基づく、請求項１に記載の方法。
【請求項６】
前記開始シーケンス番号はブロック確認応答要求フレームに基づく、請求項５に記載の方法。
【請求項７】
前記圧縮ブロック確認応答フレームの前記開始シーケンス番号は、前記圧縮ブロック確認応答フレームの識別子として使用される、請求項１に記載の方法。
【請求項８】
前記圧縮ブロック確認応答フレームの前記開始シーケンス番号は、前記圧縮ブロック確認応答フレームの唯一の識別子である、請求項７に記載の方法。
【請求項９】
前記圧縮ブロック確認応答フレームの前記開始シーケンス番号と、前記ブロック確認応答識別子とは、前記圧縮ブロック確認応答フレームを識別するために使用される、請求項７に記載の方法。
【請求項１０】
物理レイヤヘッダを備える圧縮ブロック確認応答フレームを生成する手段と、前記物理レイヤヘッダは変調コーディングスキームフィールドを含み、前記圧縮ブロック確認応答フレームを示す値を有する前記変調コーディングスキームフィールドは圧縮ブロック確認応答フレームタイプであり、前記物理レイヤヘッダは、ブロック確認応答識別子と、前記圧縮ブロック確認応答フレームの開始シーケンス番号と、ビットマップとのうちの少なくとも１つを含み、
前記圧縮ブロック確認応答フレームを送信する手段と、
を備える、ワイヤレスデバイス。
【請求項１１】
前記ブロック確認応答識別子と、前記圧縮ブロック確認応答フレームの前記開始シーケンス番号と、前記ビットマップとのうちの少なくとも１つが前記物理レイヤヘッダの信号フィールドに記憶される、請求項１０に記載のワイヤレスデバイス。
【請求項１２】
前記ブロック確認応答識別子は、前記圧縮ブロック確認応答が送られているブロックの第１のパケットから導出されるシーケンス番号を含む、請求項１０に記載のワイヤレスデバイス。
【請求項１３】
前記ブロック確認応答識別子は、ブロック確認応答要求フレームから導出されるシーケンス番号を含む、請求項１０に記載のワイヤレスデバイス。
【請求項１４】
前記圧縮ブロック確認応答フレームの前記開始シーケンス番号は、開始シーケンス番号の最下位ビットのグループに基づく、請求項１０に記載のワイヤレスデバイス。
【請求項１５】
請求項１乃至９のうちのいずれかに従う方法をコンピュータに実行させるために記憶されたプログラム命令を備えるコンピュータ可読媒体。
【手続補正２】
【補正対象書類名】明細書
【補正対象項目名】００８８
【補正方法】変更
【補正の内容】
【００８８】
[0100]上記は本開示の態様を対象とするが、本開示の他の態様およびさらなる態様は、それの基本的範囲から逸脱することなく考案され得、それの範囲は以下の特許請求の範囲によって判断される。
以下に、本願出願の当初の特許請求の範囲に記載された発明を付記する。
［Ｃ１］  ワイヤレスネットワークにおいて通信する方法であって、
物理レイヤヘッダを備える圧縮ブロック確認応答フレームを生成することと、前記物理レイヤヘッダは、ブロック確認応答識別子と、前記圧縮ブロック確認応答フレームの開始シーケンス番号と、ビットマップとのうちの少なくとも１つを含み、
前記圧縮ブロック確認応答フレームを送信することと、
を備える、方法。
［Ｃ２］  前記物理レイヤヘッダは変調コーディングスキームフィールドを含み、前記圧縮ブロック確認応答フレームを示す値を有する前記変調コーディングスキームフィールドは圧縮ブロック確認応答フレームタイプである、Ｃ１に記載の方法。
［Ｃ３］  前記ブロック確認応答識別子と、前記圧縮ブロック確認応答フレームの前記開始シーケンス番号と、前記ビットマップとのうちの少なくとも１つは、前記物理レイヤヘッダの信号フィールドに記憶される、Ｃ１に記載の方法。
［Ｃ４］  前記ブロック確認応答識別子は、前記圧縮ブロック確認応答が送られているブロックの第１のパケットから導出されるシーケンス番号を含む、Ｃ１に記載の方法。
［Ｃ５］  前記ブロック確認応答識別子は、ブロック確認応答要求フレームから導出されるシーケンス番号を含む、Ｃ１に記載の方法。
［Ｃ６］  前記圧縮ブロック確認応答フレームの前記開始シーケンス番号は、開始シーケンス番号の最下位ビットを含む複数の下位ビットのグループに基づく、Ｃ１に記載の方法。
［Ｃ７］  前記開始シーケンス番号はブロック確認応答要求フレームに基づく、Ｃ６に記載の方法。
［Ｃ８］  前記圧縮ブロック確認応答フレームの前記開始シーケンス番号は、前記圧縮ブロック確認応答フレームの識別子として使用される、Ｃ１に記載の方法。
［Ｃ９］  前記圧縮ブロック確認応答フレームの前記開始シーケンス番号は、前記圧縮ブロック確認応答フレームの唯一の識別子である、Ｃ８に記載の方法。
［Ｃ１０］  前記圧縮ブロック確認応答フレームの前記開始シーケンス番号と、前記ブロック確認応答識別子とは、前記圧縮ブロック確認応答フレームを識別するために使用される、Ｃ８に記載の方法。
［Ｃ１１］  物理レイヤヘッダを備える圧縮ブロック確認応答フレームを生成するように構成されたプロセッサと、前記物理レイヤヘッダは、ブロック確認応答識別子と、前記圧縮ブロック確認応答フレームの開始シーケンス番号と、ビットマップとのうちの少なくとも１つを含み、
前記圧縮ブロック確認応答フレームを送信するように構成された送信機と、
を備える、ワイヤレスデバイス。
［Ｃ１２］  前記物理レイヤヘッダは変調コーディングスキームフィールドを含み、前記圧縮ブロック確認応答フレームを示す値を有する前記変調コーディングスキームフィールドが圧縮ブロック確認応答フレームタイプである、Ｃ１１に記載のワイヤレスデバイス。
［Ｃ１３］  前記ブロック確認応答識別子と、前記圧縮ブロック確認応答フレームの前記開始シーケンス番号と、前記ビットマップとのうちの少なくとも１つが前記物理レイヤヘッダの信号フィールドに記憶される、Ｃ１１に記載のワイヤレスデバイス。
［Ｃ１４］  前記ブロック確認応答識別子は、前記圧縮ブロック確認応答が送られているブロックの第１のパケットから導出されるシーケンス番号を含む、Ｃ１１に記載のワイヤレスデバイス。
［Ｃ１５］  前記ブロック確認応答識別子は、ブロック確認応答要求フレームから導出されるシーケンス番号を含む、Ｃ１１に記載のワイヤレスデバイス。
［Ｃ１６］  前記圧縮ブロック確認応答フレームの前記開始シーケンス番号は、開始シーケンス番号の最下位ビットを含む複数の下位ビットのグループに基づく、Ｃ１１に記載のワイヤレスデバイス。
［Ｃ１７］  前記開始シーケンス番号はブロック確認応答要求フレームに基づく、Ｃ１６に記載のワイヤレスデバイス。
［Ｃ１８］  前記圧縮ブロック確認応答フレームの前記開始シーケンス番号は、前記圧縮ブロック確認応答フレームの識別子として使用される、Ｃ１１に記載のワイヤレスデバイス。
［Ｃ１９］  前記圧縮ブロック確認応答フレームの前記開始シーケンス番号は、前記圧縮ブロック確認応答フレームの唯一の識別子である、Ｃ１８に記載のワイヤレスデバイス。
［Ｃ２０］  前記圧縮ブロック確認応答フレームの前記開始シーケンス番号と、前記ブロック確認応答識別子とが、前記圧縮ブロック確認応答フレームを識別するために使用される、Ｃ１８に記載のワイヤレスデバイス。
［Ｃ２１］  物理レイヤヘッダを備える圧縮ブロック確認応答フレームを生成する手段と、前記物理レイヤヘッダは、ブロック確認応答識別子と、前記圧縮ブロック確認応答フレームの開始シーケンス番号と、ビットマップとのうちの少なくとも１つを含み、
前記圧縮ブロック確認応答フレームを送信する手段と、
を備える、ワイヤレスデバイス。
［Ｃ２２］  前記物理レイヤヘッダは変調コーディングスキームフィールドを含み、前記圧縮ブロック確認応答フレームを示す値を有する前記変調コーディングスキームフィールドは圧縮ブロック確認応答フレームタイプである、Ｃ２１に記載のワイヤレスデバイス。
［Ｃ２３］  前記ブロック確認応答識別子と、前記圧縮ブロック確認応答フレームの前記開始シーケンス番号と、前記ビットマップとのうちの少なくとも１つが前記物理レイヤヘッダの信号フィールドに記憶される、Ｃ２１に記載のワイヤレスデバイス。
［Ｃ２４］  前記ブロック確認応答識別子は、前記圧縮ブロック確認応答が送られているブロックの第１のパケットから導出されるシーケンス番号を含む、Ｃ２１に記載のワイヤレスデバイス。
［Ｃ２５］  前記ブロック確認応答識別子は、ブロック確認応答要求フレームから導出されるシーケンス番号を含む、Ｃ２１に記載のワイヤレスデバイス。
［Ｃ２６］  前記圧縮ブロック確認応答フレームの前記開始シーケンス番号は、開始シーケンス番号の最下位ビットを含む複数の下位ビットのグループに基づく、Ｃ２１に記載のワイヤレスデバイス。
［Ｃ２７］  前記開始シーケンス番号はブロック確認応答要求フレームに基づく、Ｃ２６に記載のワイヤレスデバイス。
［Ｃ２８］  前記圧縮ブロック確認応答フレームの前記開始シーケンス番号は、前記圧縮ブロック確認応答フレームの識別子として使用される、Ｃ２１に記載のワイヤレスデバイス。
［Ｃ２９］  前記圧縮ブロック確認応答フレームの前記開始シーケンス番号は、前記圧縮ブロック確認応答フレームの唯一の識別子である、Ｃ２８に記載のワイヤレスデバイス。
［Ｃ３０］  前記圧縮ブロック確認応答フレームの前記開始シーケンス番号と、前記ブロック確認応答識別子とは、前記圧縮ブロック確認応答フレームを識別するために使用される、Ｃ２８に記載のワイヤレスデバイス。
［Ｃ３１］  実行されたとき、
物理レイヤヘッダを備える圧縮ブロック確認応答フレームを生成することと、前記物理レイヤヘッダは、ブロック確認応答識別子と、前記圧縮ブロック確認応答フレームの開始シーケンス番号と、ビットマップとのうちの少なくとも１つを含み、
前記圧縮ブロック確認応答フレームを送信することと、
を装置に行わせるコードを備える非一時的コンピュータ可読媒体。
［Ｃ３２］  前記物理レイヤヘッダは変調コーディングスキームフィールドを含み、前記圧縮ブロック確認応答フレームを示す値を有する前記変調コーディングスキームフィールドは圧縮ブロック確認応答フレームタイプである、Ｃ３１に記載のコンピュータ可読媒体。
［Ｃ３３］  前記ブロック確認応答識別子と、前記圧縮ブロック確認応答フレームの前記開始シーケンス番号と、前記ビットマップとのうちの少なくとも１つは、前記物理レイヤヘッダの信号フィールドに記憶される、Ｃ３１に記載のコンピュータ可読媒体。
［Ｃ３４］  前記ブロック確認応答識別子は、前記圧縮ブロック確認応答が送られているブロックの第１のパケットから導出されるシーケンス番号を含む、Ｃ３１に記載のコンピュータ可読媒体。
［Ｃ３５］  前記ブロック確認応答識別子は、ブロック確認応答要求フレームから導出されるシーケンス番号を含む、Ｃ３１に記載のコンピュータ可読媒体。
［Ｃ３６］  前記圧縮ブロック確認応答フレームの前記開始シーケンス番号は、開始シーケンス番号の最下位ビットを含む複数の下位ビットのグループに基づく、Ｃ３１に記載のコンピュータ可読媒体。
［Ｃ３７］  前記開始シーケンス番号はブロック確認応答要求フレームに基づく、Ｃ３６に記載のコンピュータ可読媒体。
［Ｃ３８］  前記圧縮ブロック確認応答フレームの前記開始シーケンス番号は、前記圧縮ブロック確認応答フレームの識別子として使用される、Ｃ３１に記載のコンピュータ可読媒体。
［Ｃ３９］  前記圧縮ブロック確認応答フレームの前記開始シーケンス番号は、前記圧縮ブロック確認応答フレームの唯一の識別子である、Ｃ３８に記載のコンピュータ可読媒体。
［Ｃ４０］  前記圧縮ブロック確認応答フレームの前記開始シーケンス番号と、前記ブロック確認応答識別子とは、前記圧縮ブロック確認応答フレームを識別するために使用される、Ｃ３８に記載のコンピュータ可読媒体。